【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
沈殿池内に鉛直方向に沿って配列される複数の奇数段沈降板および複数の偶数段沈降板と、
前記奇数段沈降板および前記偶数段沈降板を回転自在に支持する支持機構と、
前記奇数段沈降板に連結された奇数段リンク機構と、
前記偶数段沈降板に連結された偶数段リンク機構と、
前記奇数段リンク機構を動作させて、前記奇数段沈降板を傾斜させる奇数段アクチュエーターと、
前記偶数段リンク機構を動作させて、前記偶数段沈降板を傾斜させる偶数段アクチュエーターと、を備えたことを特徴とする沈降板装置。
【請求項２】
前記奇数段沈降板および前記偶数段沈降板は、前記奇数段沈降板および前記偶数段沈降板の沈殿面に対して垂直に延びる補助沈降板をそれぞれ有し、前記補助沈降板は、前記奇数段沈降板および前記偶数段沈降板が傾斜した際に流入水に含まれるフロックを堆積することができる補助沈殿面を有することを特徴とする請求項１に記載の沈降板装置。
【請求項３】
自然エネルギーを電力に変換する電力機器と、
前記電力により動作するコンプレッサーと、
前記コンプレッサーによって生成された圧縮空気を溜めるタンクとをさらに備え、
前記奇数段アクチュエーターおよび前記偶数段アクチュエーターは、前記タンクに溜められた前記圧縮空気により動作するエアシリンダーから構成されることを特徴とする請求項１または２に記載の沈降板装置。
【請求項４】
沈殿池内に鉛直方向に沿って配列される複数の奇数段沈降板および複数の偶数段沈降板を傾斜させる方法であって、
前記奇数段沈降板および前記偶数段沈降板を交互に傾斜させることを特徴とする方法。
【請求項５】
前記沈殿池内の水を全て抜く時には、前記奇数段沈降板と前記偶数段沈降板とを同時に傾斜させることを特徴とする請求項４に記載の方法。
【手続補正２】
【補正対象書類名】明細書
【補正対象項目名】０００４
【補正方法】変更
【補正の内容】
【０００４】
しかしながら、フロックの集合体は、沈殿池底面に衝突して破壊され、この破壊されたフロックが沈殿池内で舞い上がるという問題があった。舞い上がったフロックは、沈殿池内の液体の水質を悪化させるおそれがある。
【手続補正３】
【補正対象書類名】明細書
【補正対象項目名】０００６
【補正方法】変更
【補正の内容】
【０００６】
本発明は、上述した従来の問題点に鑑みてなされたもので、フロックを円滑に落下させながら、沈殿池内でフロックが舞い上がることを防止することのできる沈降板装置を提供することを目的とする。また、本発明は、沈殿池内でフロックが舞い上がることを防止することのできる沈降板の動作方法を提供することを目的とする。
【手続補正４】
【補正対象書類名】明細書
【補正対象項目名】０００８
【補正方法】変更
【補正の内容】
【０００８】
本発明の好ましい態様は、前記奇数段沈降板および前記偶数段沈降板は、前記奇数段沈降板および前記偶数段沈降板の沈殿面に対して垂直に延びる補助沈降板をそれぞれ有し、前記補助沈降板は、前記奇数段沈降板および前記偶数段沈降板が傾斜した際に流入水に含まれるフロックを堆積することができる補助沈殿面を有することを特徴とする。
本発明の好ましい態様は、自然エネルギーを電力に変換する電力機器と、前記電力により動作するコンプレッサーと、前記コンプレッサーによって生成された圧縮空気を溜めるタンクとをさらに備え、前記奇数段アクチュエーターおよび前記偶数段アクチュエーターは、前記タンクに溜められた前記圧縮空気により動作するエアシリンダーから構成されることを特徴とする。
【手続補正５】
【補正対象書類名】明細書
【補正対象項目名】０００９
【補正方法】変更
【補正の内容】
【０００９】
本発明の他の態様は、沈殿池内に鉛直方向に沿って配列される複数の奇数段沈降板および複数の偶数段沈降板を傾斜させる方法であって、前記奇数段沈降板および前記偶数段沈降板を交互に傾斜させることを特徴とする。
本発明の好ましい態様は、前記沈殿池内の水を全て抜く時には、前記奇数段沈降板と前記偶数段沈降板とを同時に傾斜させることを特徴とする。
【手続補正６】
【補正対象書類名】明細書
【補正対象項目名】００１０
【補正方法】変更
【補正の内容】
【００１０】
本発明によれば、沈降板を奇数段沈降板からなる群と偶数段沈降板からなる群とに別けて、これら奇数段沈降板と偶数段沈降板とを、それぞれ別々に傾斜させることができる。すなわち、奇数段沈降板を傾斜させるときは、偶数段沈降板はフロックが堆積できる水平状態に保たれ、偶数段沈降板を傾斜させるときは、奇数段沈降板はフロックが堆積できる水平状態に保たれる。このように、鉛直方向に隣接する奇数段沈降板および偶数段沈降板を交互に傾斜させることにより、フロックが落下する距離を小さくすることが可能となり、フロックの破壊が防止される。また、フロックを滑落させる際に、奇数段沈降板または偶数段沈降板のいずれか一方は水平状態を保ったままであるため、フロックが沈殿池内で舞い上がることを効果的に防止することができる。さらに、奇数段沈降板または偶数段沈降板のいずれか一方のみが傾斜するので、沈殿池におけるフロックの沈降促進機能を維持することができる。
【手続補正７】
【補正対象書類名】明細書
【補正対象項目名】００１３
【補正方法】変更
【補正の内容】
【００１３】
図１は、沈殿池１に取り付けられた沈降板装置の一実施形態を示す概略側面図である。図２は、図１に示すＡ−Ａ線断面図である。図１に示されるように、フロックを沈降、堆積させるための沈殿池１には、被処理水用の流入口２が鉛直方向に沿って複数設けられている。フロックとは、被処理水に凝集剤などを注入することにより集合させられた不純物の集合体のことを言う。流入口２から流入した被処理水は、沈殿池１の長手方向に流れていき、その過程で、被処理水に含まれるフロックが自重により沈降し、沈殿池１の底に堆積する。沈殿池１の底に堆積したフロックは、沈殿池１の底に設けられた回収ピット５０に、図示しない沈殿物掻き寄せ機によって掻き寄せられる。
【手続補正８】
【補正対象書類名】明細書
【補正対象項目名】００１４
【補正方法】変更
【補正の内容】
【００１４】
沈殿池１には、フロックの沈降を促進させるための複数段（図示した例では７段）の沈降板１０，１１が配置される。沈降板１０，１１は、奇数段目に位置する奇数段沈降板１０からなる群と、偶数段目に位置する偶数段沈降板１１からなる群とで構成される。最上段に位置する沈降板は、１段目の沈降板、すなわち奇数段沈降板１０である。奇数段沈降板１０および偶数段沈降板１１は、鉛直方向に所定の間隔で交互に配列されている。沈降板１０，１１はそれぞれ矩形状の形状を有している。
【手続補正９】
【補正対象書類名】明細書
【補正対象項目名】００２７
【補正方法】変更
【補正の内容】
【００２７】
被処理水が流入口２を通じて沈殿池１に導入されてから所定時間が経過したとき、まず奇数段沈降板１０のみを傾斜させて、奇数段沈降板１０上のフロックを滑落させ、偶数段沈降板１１の沈殿面１１ａ上と沈殿池１の底に移動させる。奇数段沈降板１０のみが傾斜した状態が図５に示される。図５は一列の奇数段沈降板１０が傾斜した状態を示しているが、複数列の奇数段沈降板１０が同時に傾斜する。
【手続補正１０】
【補正対象書類名】明細書
【補正対象項目名】００３４
【補正方法】変更
【補正の内容】
【００３４】
このように、奇数段沈降板１０および偶数段沈降板１１は、交互に傾斜させられる。最も上に位置する奇数段沈降板１０上に堆積したフロックを、沈殿池１の底まで移動させるために、奇数段沈降板１０および偶数段沈降板１１の傾斜動作は繰り返し行われる。図示した例では、奇数段沈降板１０および偶数段沈降板１１は、合計で７回傾斜させることになる。具体的には、奇数段沈降板１０が４回傾斜させられ、偶数段沈降板１１が３回傾斜させられる。つまり、沈降板１０，１１が合計でｎ段配置されているとすると、奇数段沈降板１０と偶数段沈降板１１との傾斜動作は合計でｎ回実施される。
【手続補正１１】
【補正対象書類名】明細書
【補正対象項目名】００３５
【補正方法】変更
【補正の内容】
【００３５】
このように、奇数段沈降板１０と偶数段沈降板１１とを独立して交互に傾斜させるので、鉛直方向に隣接する沈降板１０，１１は同時には傾斜しない。したがって、フロックが落下する距離を小さくすることが可能となる。その結果、落下したフロックが破壊されることが防止される。また、フロックを滑落させる際に、奇数段沈降板１０または偶数段沈降板１１のいずれか一方は水平状態を保ったままであるため、フロックが沈殿池１内で舞い上がることを効果的に防止することができる。さらに、奇数段沈降板１０または偶数段沈降板１１のいずれか一方のみが傾斜するので、沈殿池１におけるフロックの沈降促進機能を維持することができる。
【手続補正１２】
【補正対象書類名】明細書
【補正対象項目名】００３８
【補正方法】変更
【補正の内容】
【００３８】
図２に示されるように、横方向に並ぶ複数列の沈降板１０，１１は、１つのフレーム３に固定されており、これによって１つの沈降板ユニットとして構成されている。図１では、２つ沈降板ユニットが被処理水の流れ方向に沿って配置されている。フレーム３には、複数対の支持機構１５が固定されており、これにより、フレーム３に複数列の沈降板１０，１１が支持される。このように、複数の沈降板１０，１１が１つの沈降板ユニットとして構成されているので、沈殿池１内における沈降板１０，１１の配置を容易に変更することができる。
【手続補正１３】
【補正対象書類名】明細書
【補正対象項目名】００３９
【補正方法】変更
【補正の内容】
【００３９】
沈降板装置をメンテナンスしたり、沈殿池１内を清掃したりするために、沈殿池１内の被処理水を全て抜く水抜きが行われることがある。この場合、沈殿池１内でフロックが舞い上がっても問題が発生しないので、奇数段沈降板１０と偶数段沈降板１１とを同時に傾斜させてもよい。具体的には、奇数段アクチュエーター３０と偶数段アクチュエーター３１とを同時に動作させてもよい。
【手続補正１４】
【補正対象書類名】明細書
【補正対象項目名】００４０
【補正方法】変更
【補正の内容】
【００４０】
上記実施形態では、沈殿池１内に配置される沈降板を奇数段沈降板１０と偶数段沈降板１１とに別けて、これら１段おきに配置された奇数段沈降板１０と偶数段沈降板１１とを交互に傾斜させている。別の実施形態として、沈殿池１内に配置される沈降板を２段おきに第１沈降板群と第２沈降板群とに別けて、これら第１沈降板群と第２沈降板群とを交互に傾斜させてもよい。この場合、沈殿池１内に配置される沈降板は、上下方向に隣接する２段の沈降板のセットとして構成される第１沈降板群と第２沈降板群とが交互に傾斜させられることになる。第１沈降板群は、第１アクチュエーター３０と第１リンク機構２０とに連結され、第２沈降板群は、第２アクチュエーター３１と第２リンク機構２３とに連結される。このように２段おきに配置される第１沈降板群と第２沈降板群とを交互に傾斜させると、最上段の沈降板に堆積したフロックを沈殿池１の底まで移動させるための傾斜動作回数を低減することができる。